(57)【特許請求の範囲】
【請求項１】
内部に浴槽が設置される浴室であって、該浴室は、
天井から斜めに傾斜した傾斜壁の下端に水平状に室内側へ延びる棚部と、前記傾斜壁の左右側面に平面状の平面側壁が一体化されてなるパネルを備え、
該パネルの前記棚部の先に形成された壁パネル接続部の下方に壁パネルが接続され、該壁パネルの裏側の前記棚部の下方側に配管スペースが形成されているとともに、前記パネルの前記傾斜壁の上端側に形成された天井パネル接続部に天井パネルが接続されていることを特徴とする浴室。
【請求項２】
前記傾斜壁がドーム状に形成されていることを特徴とする請求項１に記載の浴室。
【請求項３】
前記パネルの棚部の中央を上方へ膨出させて鏡取付部を形成したことを特徴とする請求項１または請求項２に記載の浴室。
【請求項４】
前記傾斜壁に、室内側へ膨出したシャワーフック取付部を形成したことを特徴とする請求項１または請求項２または請求項３に記載の浴室。
【請求項５】
前記傾斜壁の室内側に、カーテンを係止できるカーテンフックを設けたことを特徴とする請求項１または請求項２または請求項３または請求項４に記載の浴室。
【発明の詳細な説明】
【０００１】
【産業上の利用分野】
この発明は、浴室に関するものである。
【０００２】
【従来の技術及びその課題】
従来、浴室は、垂直に立ち上がる壁パネルと、その上端に水平状に配置させる天井パネルで、浴室全体が方形状に形成されており、梁等が存在する建物内に設置する場合には、梁等が邪魔になって、設置できない場合が生ずるという問題点があった。
【０００３】
【課題を解決するための手段】
本発明は上記従来の問題点に鑑み案出したものであって、梁が存在する建物内等においてもコンパクトに設置できる浴室を提供せんことを目的とし、その第１の要旨は、内部に浴槽が設置される浴室であって、該浴室は、天井から斜めに傾斜した傾斜壁の下端に水平状に室内側へ延びる棚部と、前記傾斜壁の左右側面に平面状の平面側壁が一体化されてなるパネルを備え、該パネルの前記棚部の先に形成された壁パネル接続部の下方に壁パネルが接続され、該壁パネルの裏側の前記棚部の下方側に配管スペースが形成されているとともに、前記パネルの前記傾斜壁の上端側に形成された天井パネル接続部に天井パネルが接続されていることである。
また、第２の要旨は、前記傾斜壁がドーム状に形成されていることである。
また、第３の要旨は、前記パネルの棚部の中央を上方へ膨出させて鏡取付部を形成したことである。
また、第４の要旨は、前記傾斜壁に、室内側へ膨出したシャワーフック取付部を形成したことである。
また、第５の要旨は、前記傾斜壁の室内側に、カーテンを係止できるカーテンフックを設けたことである。
【０００４】
【実施例】
以下、本発明の実施例を図面に基づいて説明する。
図１は、ドーム型建物内に設置したユニットバスの平面構成図であり、図２は、その室内の正面構成図であり、また図３は、側面構成図である。
また図４では、ユニットバスの壁面を構成する傾斜パネルの裏側からの斜視を示しており、また図５では、ユニットバスの室内の概略斜視を示している。
【０００５】
図において、基礎コンクリート２上に建てられたパオに似たドーム型建物１内に設置されるユニットバス３は、その底側が防水パン４で形成され、防水パン４上に、図示左側から浴槽５，手洗器６，便器７が設置されており、便器７の後部にはロータンク８が設けられている。また、便器７側には開閉可能に入口ドアＤが設けられている。また、手洗器６と浴槽５内に給水できる水栓９が設けられたものとなっている。
【０００６】
前記防水パン４の周縁には壁パネル１０が立設されており、本例では、この壁パネル１０と天井パネル１１間に、図４に示すような傾斜パネル１２が設けられ、この傾斜パネル１２は、天井から斜めにドーム状に傾斜する傾斜壁１３を有しており、この傾斜壁１３の下端には、水平状に室内側へ延びる棚部１４，１４が一体形成され、棚部１４，１４の中央部には、室内側へ膨出して立ち上がる中央膨出部１５が一体形成されており、この中央膨出部１５の前面は垂直な鏡取付面となって、室内側に鏡２１が取り付けられるものである。
この中央膨出部１５により、左右の棚部１４，１４が中央で仕切られた状態となっており、ロータンク８側の棚部１４には、水栓９とか浴槽５からの水滴がかかりにくいように構成されている。また、左右の棚部１４，１４上に良好に備品等を置くことができ、別途、棚を室内に設ける必要がないように構成されている。
【０００７】
なお、図３に示すように、棚部１４の下方の壁パネル１０の裏側には、配管スペースＳが形成され、この配管スペースＳを有効に利用して給水管２０等の配管をコンパクトかつ良好に設置できるものとなる。
また、鏡２１は室内側に突出した位置に設けられるため、手洗器６の前等に立って覗き込みやすく、鏡２１の使用が良好に行なえるように構成されている。
【０００８】
なお、図４において、傾斜パネル１２の傾斜壁１３の前記中央膨出部１５の図示左側上方部位には、室内側に膨出してシャワーフック取付部１６が一体形成されており、このシャワーフック取付部１６の室内側にシャワーフック２２を設置して、シャワーヘッド２３をこのシャワーフック２２に掛止できるように構成されており、シャワーフック２２にシャワーヘッド２３を掛けて、シャワーヘッド２３から図３に示すようにシャワー水を噴出させ、使用者は立つた状態で、頭上から良好にシャワーを浴びることができるように構成されている。
【０００９】
また、シャワーフック取付部１６と中央膨出部１５間にはカーテンフック２４が設けられており、カーテン２５の傾斜パネル１２側の端縁部を、このカーテンフック２４に掛止して、カーテン２５を傾斜パネル１２側へ良好に伸ばして使用することができるように構成されており、天井パネル１１に設けられるカーテンレールが短い場合にも、良好にカーテン２５を傾斜パネル１２側まで引き伸ばして使用できるものである。
【００１０】
なお、図４において、傾斜壁１３の上端側には、天井パネル１１を接続できる天井パネル接続部１７が形成されており、また、傾斜パネル１２の下端側には、壁パネル１０を接続できる壁パネル接続部１８が形成されている。また、傾斜壁１３の左右の側面は平面状の平面側壁１９，１９となっている。
また、天井パネル１１には、照明器２６と換気扇２７が設置されており、換気扇２７にはダクト２８が配管接続されている。
また、前記防水パン４の下面には排水トラップ２９が設けられており、この排水トラップ２９には、浴槽５の底側から排水管３０が接続されている。
【００１１】
このような構造のユニットバスにおいては、傾斜パネル１２が設けられているため、ドーム型建物１の壁面ぎりぎりまで近接させてユニットバスを設置することができ、ドーム型建物１内の狭い空間にコンパクトにユニットバス３を設置できるものとなる。
また、棚部１４が一体形成されているため、別途、棚を設ける必要もなく、さらには、傾斜パネル１２には、鏡２１を取り付ける中央膨出部１５及びシャワーフックを取り付けるシャワーフック取付部１６が一体形成されているため、鏡２１及びシャワーフック２２を最適な使いやすい位置に設置して、ユニットバスの室内を効率良く使用することができるものとなる。
【００１２】
なお、本例では、ドーム型建物１内に、このような傾斜パネル１２を有するユニットバス３を設置した場合を例示しているが、室内に梁が存在するような建物内においても、梁の下方に傾斜パネル１２を配置させて、狭い室内においても良好にユニットバス３を設置することができるものとなる。
【００１３】
【発明の効果】
本発明の浴室は、内部に浴槽が設置される浴室であって、該浴室は、天井から斜めに傾斜した傾斜壁の下端に水平状に室内側へ延びる棚部と、前記傾斜壁の左右側面に平面状の平面側壁が一体化されてなるパネルを備え、該パネルの前記棚部の先に形成された壁パネル接続部の下方に壁パネルが接続され、該壁パネルの裏側の前記棚部の下方側に配管スペースが形成されているとともに、前記パネルの前記傾斜壁の上端側に形成された天井パネル接続部に天井パネルが接続されていることにより、方形状の浴室が収まらない現場においても良好に設置することができるものとなり、また別途、棚を設ける必要もなく、室内空間を有効利用することができ、さらには棚の室外側の下部に良好に配管することができるものとなる。
【００１４】
また、傾斜壁がドーム状に形成されていることにより、コンパクトに設置できるとともに、意匠性の良好な浴室となる。
【００１５】
また、パネルの棚部の中央を上方へ膨出させて鏡取付部を形成したことにより、鏡が室内側へ突出するため鏡に顔を近づけやすくなり、また、鏡取付部で良好に散水を防いで、棚部の濡れを防ぐことができるものとなる。
【００１６】
また、傾斜壁に、室内側へ膨出したシャワーフック取付部を形成したことにより、シャワーフックにシャワーヘッドを掛止して、頭上よりシャワーを浴びることができ、使い勝手が良好なものとなる。
【００１７】
また、傾斜壁の室内側に、カーテンを係止できるカーテンフックを設けたことにより、天井のカーテンレールが短い場合でも、カーテンを室内の端まで伸ばすことができ、カーテンで浴槽と便器等を良好に仕切ることができ、使い勝手が良好なものとなる。
【図面の簡単な説明】
【図１】  ドーム型建物内に設置されたユニットバスの平面構成図である。
【図２】  図１のユニットバス内の正面構成図である。
【図３】  ユニットバスの側面構成図である。
【図４】  ユニットバスを構成する傾斜パネルの裏側からの斜視図である。
【図５】  ユニットバス内の斜視構成図である。
【符号の説明】
１  ドーム型建物
２  基礎コンクリート
３  ユニットバス
４  防水パン
５  浴槽
６  手洗器
７  便器
９  水栓
１０  壁パネル
１１  天井パネル
１２  傾斜パネル
１３  傾斜壁
１４  棚部
１５  中央膨出部
１６  シャワーフック取付部
２０  給水管
２１  鏡
２２  シャワーフック
２３  シャワーヘッド
２４  カーテンフック
２５  カーテン
Ｓ  配管スペース
【図１】
0003665988.tif 000002
【図２】
0003665988.tif 000003
【図３】
0003665988.tif 000004
【図４】
0003665988.tif 000005
【図５】
0003665988.tif 000006